(57)【要約】【課題】  プール火災においてウォーターミストによる消火を効果的に行なうことができる方法を提供する。【解決手段】  ウォーターミストによるプール火災の消火方法において、燃焼面及び火炎基部に直接向けないが火炎中心軸のいずれかの位置にむけるようにしてプール火災の火炎基部をほぼ隙間なく取り囲むようにウォーターミストを放射することによって、ウォーターミストから発生する水蒸気により火炎基部への酸素供給を阻止して消火することを特徴とする方法。【選択図】  図１
2007307096.tif 000002
【特許請求の範囲】
【請求項１】
ウォーターミストによるプール火災の消火方法において、燃焼面及び火炎基部に直接向けないが火炎中心軸のいずれかの位置に向けるようにしてプール火災の火炎基部をほぼ隙間なく取り囲むようにウォーターミストを放射することによって、ウォーターミストから発生する水蒸気により火炎基部への酸素供給を阻止して消火することを特徴とする方法。
【請求項２】
ウォーターミストの放射方向を火炎の流れに対して実質的に平行にすることを特徴とする請求項１に記載の方法。
【請求項３】
放射されるウォーターミストの流速を火炎基部への空気流入を阻止するのに十分な速度とすることを特徴とする請求項１又は２に記載の方法。
【請求項４】
放射されるウォーターミストの平均粒径を１０μｍ〜２００μｍとすることを特徴とする請求項１〜３のいずれかに記載の方法。
【発明の詳細な説明】
【技術分野】
【０００１】
本発明は、油等のプール火災の消火方法に関し、さらに詳しくは火炎中心軸（火炎基部の中心と火炎頂点を結ぶ線）に向けて火炎基部をほぼ隙間なく取り囲むようにウォーターミストを放射することによってプール火災の火炎基部への酸素供給を阻止して消火する方法に関する。
【背景技術】
【０００２】
従来、プール火災の消火方法として二酸化炭素による局所消火、泡消火、水噴霧を利用した設備が使用されている。かかる設備は、火災が想定される油槽（焼き入れ槽など）の上方に消火用水の配管を設置し、そこに一定の間隔で下方に向けたノズルを取り付けたものであり、ノズルから下方の火源に向けて二酸化炭素、泡、水噴霧を放射する方法によって消火する。
【０００３】
しかしながら、かかる方法では二酸化炭素については窒息の危険があり、泡消火については環境への汚染、水噴霧については、水噴霧を火炎の上方から下方に向かって単に放出しているだけなので、水噴霧が火炎に巻き上げられてしまって火炎基部まで到達できず、消火が困難であるばかりか、周囲の空気を巻き込み、そのために多量の水を使用しなければならないという問題がある。
【０００４】
かかる問題に対して、ウォーターミストをプール火災の火炎基部に生じる空気流に乗せて火炎内部に到達させることにより消火する方法が提案されている（特許文献１参照）。
【０００５】
この方法は、ウォーターミストを火炎内部に到達させることができるので、ウォーターミストが火炎と接触することによって発生する水蒸気による冷却効果や酸素濃度低下効果が見られるが、火炎基部への酸素は空気流に沿って流入するため、なお改良の余地がある。
【特許文献１】特開２００５−３２３７９４号公報
【発明の開示】
【発明が解決しようとする課題】
【０００６】
本発明は、かかる従来技術の問題を克服するために創案されたものであり、プール火災においてウォーターミストによる消火を効果的に行なうことができる方法を提供することを目的とする。
【課題を解決するための手段】
【０００７】
本発明者は、かかる目的を達成するために鋭意検討した結果、火炎基部をウォーターミストの壁によって取り囲むことによってウォーターミストの相変化による効果に加え、空気の流れを変えることによる窒息効果も発揮してプール火災を短時間で消火できることを見出し、本発明の完成に至った。
【０００８】
即ち、本発明は、ウォーターミストによるプール火災の消火方法において、燃焼面及び火炎基部に直接向けないが火炎中心軸のいずれかの位置に向けるようにしてプール火災の火炎基部をほぼ隙間なく取り囲むようにウォーターミストを放射することによって、ウォーターミストから発生する水蒸気により火炎基部への酸素供給を阻止して消火することを特徴とする方法である。
【０００９】
本発明の方法の好ましい態様では、ウォーターミストの放射方向を火炎の流れに対して実質的に平行にし、放射されるウォーターミストの流速を火炎基部への空気流入を阻止するのに十分な速度とし、放射されるウォーターミストの平均粒径を１０μｍ〜２００μｍとする。
【発明の効果】
【００１０】
本発明の方法は、ウォーターミストによって火炎基部を隙間なく取り囲むようにして火炎基部への酸素供給量を減らしているので、ウォーターミストの液体から気体への相変化による冷却効果及び酸素濃度希釈効果に加えて、酸素供給を阻止することによる窒息効果も発揮し、結果として少量の水での迅速な消火が可能である。
【発明を実施するための最良の形態】
【００１１】
本発明の方法は、プール火災をウォーターミストによって短時間で消火できる方法であり、ウォーターミストによって火炎基部をほぼ隙間なく取り囲むようにして火炎基部への酸素供給を阻止することによって、燃焼に必要な酸素の供給量を減らして窒息させ消火に至るものである。
【００１２】
ウォーターミストは、従来公知のいずれの方法によっても発生することができるが、例えば特開２００４−１３５７４２号公報に記載の消火器と同じ原理で放射させることができる。消火効果を最大限に発揮させるためには、ウォーターミストは、火炎を通過した後、水蒸気に全て変わることが望ましい。ウォーターミストの平均粒径は、１０μｍ〜２００μｍが好ましい。１０μｍ未満であると火炎の輻射熱を受け火炎に到達する前に水蒸気に気化してしまい、２００μｍを越えると火炎を通過した後も完全に気化せず水滴が残ることとなるため好ましくない。
【００１３】
ウォーターミストによって火炎基部を隙間なく取り囲む方法としては、例えばプール火災を生じる油槽の周囲にウォーターミストを生じるノズルを均等に複数個設置し、火炎基部の空気の流入方向に向けてウォーターミストを放射して円錐状にウォーターミストの壁を作ることによって行なうことができる。
【００１４】
ウォーターミストの放射方向は、燃焼時に火炎基部から火炎中央部に流入する空気の流れをウォーターミストが阻止するように、火炎の流れに対して実質的に平行でかつ同じ方向にすることが好ましい。また、ウォーターミストの放射流速は、火炎基部への空気流入を阻止するのに十分な速度であることが好ましく、実際には０．１ｍ／ｓ〜１０ｍ／ｓが好ましく、０．３ｍ／ｓ〜６ｍ／ｓがさらに好ましい。
【実施例】
【００１５】
以下に本発明の方法の一例によってその効果を示すが、本発明はこれに限定されるものではない。
【００１６】
実施例１
図１に記載のように、直径１４４０ｍｍ、深さ３００ｍｍの円形の油槽を用意し、その周囲に均等に２４個のウォーターミスト発生ノズルを設置し、油槽の中央上方に向けて３０°の噴射角度、６０°の噴射範囲で平均粒径１００μｍのウォーターミストを噴射できるようにした。油槽に４８ｌのｎ−ヘプタンを入れて着火し、上記の噴射方法で火炎基部を隙間なく取り囲んで消火したところ、消火時間と水使用量は、それぞれ１７秒、１３．６ｌであった。なお、ウォーターミストの噴射時の水圧力は０．９ＭＰａ、水流量は４８ｌ／ｍｉｎであり、ノズル出口から２０ｃｍの距離でのウォーターミストの放射流速は５ｍ／ｓであった。
【００１７】
比較例
実施例１の方法において、ノズルの噴射角度を油槽の表面から９０°とした以外、実施例１と同様の方法で消火したところ、若干の火炎抑制効果は見られたが、５分間経っても消火に至らなかった。
【産業上の利用可能性】
【００１８】
本発明の方法によれば、プール火災の消火がウォーターミストの壁を形成することによって少ない水量で迅速かつ確実に行なうことができるので、プール火災が生じうる産業において極めて有用である。例えば、危険物貯蔵タンクの全面火災において、本発明の方法に従ってタンクの屋根にウォーターミスト発生ノズルを配置し、火炎基部への酸素供給を阻止するようにウォーターミストを放射することによって、火炎の消火を迅速かつ確実に行うことができる。
【図面の簡単な説明】
【００１９】
【図１】本発明の消火方法の一例を示す概略図である。
【図１】
2007307096.tif 000003